(57)【要約】  冷蔵庫（１）は、冷蔵室扉（冷蔵庫扉）（１１）を備えている。冷蔵室扉（１１）は、正面部材（前面側部材）（４１）と、ドアバック（背面側部材）（３１）と、断熱層（２５）と、ガラスパネル（表面パネル）（５１）とを備えている。ドアバック（３１）は、正面部材（４１）と対向配置されている。断熱層（２５）は、正面部材（４１）とドアバック（３１）との間に配置されている。ガラスパネル（５１）は、正面部材（４１）の前面側に配置されている。ガラスパネル（５１）の裏面には、表示パネル（表示部）（５０）が取り付けられている。
2019150635.tif 000002
【特許請求の範囲】
【請求項１】
表示部を備えている冷蔵庫扉であって、
前面側部材と、
前記前面側部材と対向配置された背面側部材と、
前記前面側部材と前記背面側部材との間に配置された断熱層と、
前記前面側部材の前面側に配置された表面パネルと
を備え、
前記表面パネルの裏面に、前記表示部が取り付けられている、冷蔵庫扉。
【請求項２】
前記表面パネルは、取り外し可能に構成されている、請求項１に記載の冷蔵庫扉。
【請求項３】
前記表面パネルは、矩形状であり、
前記表面パネルの端部または端部近傍の少なくとも一辺に、前記前面側部材と係合する第１の枠部材が設けられている、
請求項１または２に記載の冷蔵庫扉。
【請求項４】
前記第１の枠部材は、前記前面側部材および前記背面側部材の少なくとも何れかと接続するための接合部を有している、請求項３に記載の冷蔵庫扉。
【請求項５】
前記前面側部材の端部または端部近傍の少なくとも一辺に、前記表面パネルの端部を抱え込む第２の枠部材が設けられている、
請求項１から４の何れか１項に記載の冷蔵庫扉。
【請求項６】
前記表面パネルに物体が接触したことを検知する接触検知部をさらに備え、
前記前面側部材には、前記接触検知部を載置している弾性部材が設けられている、
請求項１から５の何れか１項に記載の冷蔵庫扉。
【請求項７】
前記前面側部材の表面には、前記表面パネルを前面側に押す凸部が設けられている、
請求項１から６の何れか１項に記載の冷蔵庫扉。
【請求項８】
請求項１から７の何れか１項に記載の冷蔵庫扉を備えている冷蔵庫。
【発明の詳細な説明】
【技術分野】
【０００１】
本開示は、表示パネルなどの表示部を備えている冷蔵庫扉、および、この冷蔵庫扉を備えている冷蔵庫に関する。
【背景技術】
【０００２】
近年、表示装置の薄型化および小型化に伴って、表示パネルおよび操作パネルなどのような表示装置端末（タブレット端末）を冷蔵庫の扉に設置することが技術的に可能となっている。【０００３】
例えば、特許文献１には、扉に操作部や表示部を設けた冷蔵庫が開示されている。具体的には、特許文献１の冷蔵庫には、冷蔵庫本体内の貯蔵室を開閉する断熱扉１０に操作表示部３２が設けられている。この操作表示部は、断熱扉を構成する扉外装板２５と内フレームとの間の下面を覆う横枠２４の長手方向に設けた上向きの基板支持体挿入凹部３７と、この基板支持体挿入凹部に挿入し取付けた基板支持体３１とで構成されている。基板支持体３１は、操作部３３と表示部３５，３６を扉下端縁に沿うように横設した構成となっている。この構成によれば、基板支持体に搭載されている操作部に扉外装板の表面側からタッチ操作しても操作不良を起こすことを解消することができるとされている。
【先行技術文献】
【特許文献】
【０００４】
【特許文献１】特開２０１５−４８９８５号公報
【発明の概要】
【発明が解決しようとする課題】
【０００５】
ところで、大型の冷蔵庫では、冷蔵庫の扉の表面に設置されるガラス板などの扉外装板（表面パネル）も大型化する。このような扉外装板の大型化に伴って、扉外装板自身の重量や、電子部品から発生する熱などによって、扉外装板自体の変形が問題となる。扉外装板に変形が生じると、操作表示部と扉外装板との位置ずれなどが起こり、操作不良が起こる可能性がある。また、特許文献１の構成では操作表示部を扉の端縁に配置することになるため、操作表示部を使い勝手のよい適切な位置に配置できないという問題がある。【０００６】
そこで、本発明の一局面では、冷蔵庫の扉に表示部を設置した構成において、表示部の配置に依らずに表面パネルおよび扉本体部分の変形に対する耐久性を向上させることを目的とする。
【課題を解決するための手段】
【０００７】
本発明の一局面は、冷蔵庫扉に関する。本発明の一局面にかかる冷蔵庫扉は、表示部を備えている。この冷蔵庫扉は、前面側部材と、前記前面側部材と対向配置された背面側部材と、前記前面側部材と前記背面側部材との間に配置された断熱層と、前記前面側部材の前面側に配置された表面パネルとを備えている。前記表示部は、前記表面パネルの裏面に取り付けられている。【０００８】
上記の本発明の一局面の冷蔵庫扉において、前記表面パネルは、取り外し可能に構成されていてもよい。【０００９】
上記の本発明の一局面の冷蔵庫扉において、前記表面パネルは、矩形状であり、前記表面パネルの端部または端部近傍の少なくとも一辺に、前記前面側部材と係合する第１の枠部材が設けられていてもよい。【００１０】
また、前記第１の枠部材は、前記前面側部材および前記背面側部材の少なくとも何れかと接続するための接合部を有していてもよい。【００１１】
上記の本発明の一局面の冷蔵庫扉において、前記前面側部材の端部または端部近傍の少なくとも一辺には、前記表面パネルの端部を抱え込む第２の枠部材が設けられていてもよい。【００１２】
上記の本発明の一局面の冷蔵庫扉は、前記表面パネルに物体が接触したことを検知する接触検知部をさらに備えていてもよい。そして、前記前面側部材には、前記接触検知部を載置している弾性部材が設けられていてもよい。【００１３】
上記の本発明の一局面の冷蔵庫扉において、前記前面側部材の表面には、前記表面パネルを前面側に押す凸部が設けられていてもよい。【００１４】
本発明のもう一つの局面は、冷蔵庫に関する。この冷蔵庫は、本発明の一局面にかかる冷蔵庫扉を備えている。
【発明の効果】
【００１５】
以上のように、本発明の一局面によれば、表面パネル、および扉本体部分（前面側部材、背面側部材、断熱層など）の変形に対する耐久性を向上させた冷蔵庫扉が得られる。すなわち、本発明の一局面によれば、冷蔵庫扉に表示部が備えられている冷蔵庫において、表示部の配置に依らずに表面パネルおよび扉本体部分などの変形に伴う表示部の表示画像の品質低下および操作不良の発生などを抑えることができる。
【図面の簡単な説明】
【００１６】
【図１】本発明の一実施の形態に係る冷蔵庫の外観を示す正面図である。
【図２】図１に示す冷蔵庫に備えられた右側の冷蔵室扉の構成を示す正面図である。
【図３】図１に示す冷蔵庫に備えられた右側の冷蔵室扉の開放端部側の構成を示す側面図である。
【図４】図２に示す冷蔵室扉の本体部分とガラスパネルとを示す斜視図である。
【図５】図２に示す冷蔵室扉の本体部分とガラスパネルとを示す斜視図である。この図は、冷蔵室扉およびガラスパネルの背面側（裏面側）を示す図である。
【図６】図２に示す冷蔵室扉の本体部分からカメラ取付部材を取り外した状態を示す斜視図である。この図は、冷蔵室扉の背面側（裏面側）を示す図である。
【図７】図２に示す冷蔵室扉の本体部分からカメラ取付部材を取り外した状態を示す斜視図である。この図は、冷蔵室扉の背面側（裏面側）を示す図である。
【図８】図２に示す冷蔵室扉の本体部分からガラスパネルを取り外した状態を示す斜視図である。
【図９】図２に示す冷蔵室扉を構成する正面部材の前面側（正面側）を示す斜視図である。
【図１０】図２に示す冷蔵室扉を構成する正面部材の背面側（裏面側）を示す斜視図である。
【図１１】図２に示す冷蔵室扉を構成する正面部材の背面側（裏面側）を示す平面図である。
【図１２】図２に示す冷蔵室扉を構成するドアバックの背面側を示す斜視図である。
【図１３】図２に示す冷蔵室扉に設けられているタッチセンサの構成を示す断面図である。この図は、図２に示す冷蔵室扉のＸ−Ｘ線部分の断面構成を示す図である。
【図１４】本発明の第３の実施形態に係る冷蔵庫に備えられた右側の冷蔵室扉の本体部分とガラスパネルとを示す斜視図である。
【発明を実施するための形態】
【００１７】
以下、図面を参照しつつ、本発明の各実施形態について説明する。以下の説明では、同一の部品には同一の符号を付してある。それらの名称および機能も同じである。したがって、それらについての詳細な説明は繰り返さない。
【００１８】
〔第１の実施形態〕
本実施形態では、本発明の一態様にかかる冷蔵庫として、冷蔵庫扉（例えば、冷蔵室の扉）にカメラおよび表示パネルを備えている冷蔵庫を例に挙げて説明する。
【００１９】
＜冷蔵庫の全体構成＞
図１には、本実施形態にかかる冷蔵庫１の正面側の構成を示す。冷蔵庫１は、上段に第１の冷蔵室、中段に第２の冷蔵室（野菜室）、および下段に第１の冷凍室を備えている。また、冷蔵庫１の中段には、製氷室および第２の冷凍室も備えられている。
【００２０】
なお、冷蔵庫１における各貯蔵室の構成や配置は、上記のものに限定はされない。各貯蔵室の構成および配置は、冷蔵庫の容量、用途などに応じて適宜変更することができる。
【００２１】
また、上段の第１の冷蔵室には、左右に分割された観音開き（フレンチドア）式の冷蔵室扉１１（右側の冷蔵室扉）及び１２（左側の冷蔵室扉）が設けられている。中段の第２の冷蔵室（野菜室）には、引き出し式の冷蔵室扉１３が設けられている。下段の第１の冷凍室には、引き出し式の冷凍室扉１４が設けられている。また、中段に製氷室および第２の冷凍室には、引き出し式の製氷室扉１５または冷凍室扉１６がそれぞれ設けられている。
【００２２】
なお、冷蔵庫１における各扉の構成は、上記のものに限定はされない。各貯蔵室の扉は、各貯蔵室の構造、用途、位置などに応じて、例えば、観音開き方式、左右の何れかの端部から開閉する方式、左右両側から開閉可能な方式、引き出し方式などを適宜採用することができる。
【００２３】
本実施形態では、扉が設けられている面を冷蔵庫の前面（正面）とする。そして、前面を基準にして、冷蔵庫１を通常の状態で設置した場合に存在する位置に基づいて、冷蔵庫１の各面を、上面、側面、背面、及び底面とする。したがって、本明細書中において、「前面側」または「背面側」と規定するときは、任意の位置を基準として前面又は背面が設けられている側、あるいは、任意の位置から前面又は背面へ向かう方向のことを意味する。また、本明細書では、冷蔵庫１の前面から背面へ向かう方向および冷蔵庫１の背面から前面へ向かう方向を、前後方向と呼ぶ。また、本明細書では、冷蔵庫１の一方の側面から他方の側面へ向かう方向を、左右方向と呼ぶ。さらに、本明細書においては、原則として、冷蔵庫または冷蔵室扉の「右側」とは、冷蔵庫の正面から見て右側に当たる側のことを意味し、冷蔵庫または冷蔵室扉の「左側」とは、冷蔵庫の正面から見て左側に当たる側のことを意味する。
【００２４】
右側の冷蔵室扉（扉または冷蔵庫扉）１１には、表示パネル（表示部）５０が設置されている。後述するように、表示パネル５０は、冷蔵室扉１１の最表面に配置されているガラスパネル（表面パネル）５１の裏面に取り付けられている。表示パネル５０は、例えば、液晶ディスプレイ、有機ＥＬディスプレイなどの表示パネル部材を含んで構成することができる。
【００２５】
表示パネル５０には、冷蔵庫の運転情報、冷蔵庫の制御情報、庫内在庫情報、カレンダ情報、レシピ情報、伝言情報などを表示させることができる。また、表示パネル５０は、冷蔵室扉１１の背面側に設けられた小型カメラ７１（図６参照）で撮影された庫内の映像を表示させることもできる。また、表示パネル５０がインターネット接続されている場合には、インターネットを介して得られる各種ホームページの情報を表示させることもできる。また、表示パネルの表示面や縁部などにタッチセンサ等の入力デバイスを設けることで、表示パネル５０から表示内容に沿った入力操作を行うこともできる。
【００２６】
また、冷蔵室扉１１および冷蔵室扉１２には、タッチセンサ（接触検知部）９０がそれぞれ設けられている。タッチセンサ９０は、各冷蔵室扉１１・１２の開放端部側に配置されている。タッチセンサ９０は、人体等が接触したことを検知する。そして、例えば、右側の冷蔵室扉１１のタッチセンサ９０にユーザの手などが触れると、冷蔵室扉１１が開くように制御される。同様に、左側の冷蔵室扉１２のタッチセンサ９０にユーザの手などが触れると、冷蔵室扉１２が開くように制御される。
【００２７】
＜冷蔵室扉の構成＞
続いて、冷蔵庫１に備えられた冷蔵室扉１１のより具体的な構成について、図面を参照しながら説明する。
【００２８】
図２および図３には、冷蔵室扉１１の正面側または左側面側（開放端部側）を拡大して示す。図４および図５には、冷蔵室扉１１の本体部分（正面部材４１およびドアバック３１など）とガラスパネル５１とを分解した状態を示す。図６および図７には、冷蔵室扉１１の本体部分からカメラ取付部材７０を取り外した状態を示す。図８には、冷蔵室扉１１の本体部分からガラスパネル５１を取り外した状態を示す。図９から図１１には、冷蔵室扉１１を構成する正面部材４１を各方向から見た図を示す。図１２には、冷蔵室扉１１を構成するドアバック３１を背面側から見た図を示す。
【００２９】
冷蔵室扉１１は、主として、ドアバック３１、正面部材４１、ガラスパネル５１、表示パネル５０、断熱層２５（図１３参照）、およびカメラ取付部材７０などで構成されている。
【００３０】
冷蔵室扉１１の背面側は、ドアバック３１で形成されている（図５参照）。正面部材４１は、ドアバック３１の正面側に位置し、ドアバック３１と対向配置されることで、正面部材４１は、冷蔵室扉１１本体部分の正面側を構成する。
【００３１】
正面部材４１は、冷蔵室扉１１の正面側に位置し、冷蔵室扉１１の本体部分の正面を構成する。ドアバック３１は、正面部材４１と対向配置され、冷蔵室扉１１の背面側を構成する。正面部材４１の背面にドアバック３１が嵌め込まれることによって、冷蔵室扉１１の本体部分の外形が形成される。断熱層２５は、正面部材４１とドアバック３１との間に配置される。
【００３２】
ガラスパネル５１は、冷蔵室扉１１の最前面に配置される（図４参照）。本実施形態では、ガラスパネル５１は、冷蔵室扉１１の本体部分から取り外し可能に構成されている。図４に示すように、冷蔵室扉１１の外側の表面は、一枚のガラスパネル５１で構成される。また、本実施形態では、ガラスパネル５１は、冷蔵室扉１１の本体部分の前面の略全体を覆うように構成される。そのため、冷蔵室扉１１の表面全体をフラットな構成とすることができ、冷蔵庫１の美観を向上させることができる。
【００３３】
表示パネル５０は、タッチパネル式のディスプレイパネルなどで構成される。表示パネル５０は、ガラスパネル５１の裏面に取り付けられている。例えば、表示パネル５０は、接着材を用いて、ガラスパネル５１の裏面に近接した状態で貼り付けられている。ガラスパネル５１の裏面に表示パネル５０が取り付けられることで、冷蔵室扉１１の本体部分が熱や振動などによって変形した場合にも、変形の影響を受けにくくすることができる。また、例えば、タッチパネル式の表示パネル５０の場合に、ガラスパネル５１から表示パネル５０が離間し、タッチパネルの感度が低下し、タッチパネルの操作性が低下することを抑制することができる。
【００３４】
ドアバック３１は、例えば、樹脂製の板状部材で形成されている。ドアバック３１には、冷蔵室扉１１の背面を左右方向に延びるように配置された、複数の収納ポケット（図示せず）が取り付けられている。また、冷蔵室扉１１の背面側には、扉の外周に沿うように、突出壁（突起部）３２が形成されている。突出壁３２は、土手、フランジなどとも呼ばれる。なお、本明細書では、ヒンジ部２２側の突出壁を突出壁３２ａとし、開放端部側の突出壁を突出壁３２ｂとする。
【００３５】
突出壁３２の外周には、ドアパッキン（密封部材）２１が取り付けられている。ドアパッキン２１は、冷蔵室扉１１および１２が閉鎖状態のときに、庫内（冷蔵室内）の密閉性を高めるために設けられている。
【００３６】
断熱層２５は、例えば、真空断熱材、および発泡断熱材などで構成される。真空断熱材は、シート状または板状の断熱材である。発泡断熱材には、例えば、発泡ポリウレタン（硬質ウレタンフォームともいう）などが含まれる。
【００３７】
真空断熱材は、冷蔵庫の筐体および各扉の内部に部分的に配置されている。真空断熱材は、グラスウールやシリカ粉末等の微細空隙を有する芯材を、ガスバリア性を有する外被材（袋状体、例えばラミネートフィルム）で覆い、外被材の内部を減圧密封して形成される。真空断熱材は、その内部空間を高真空に保ち、気相を伝わる熱量を出来る限り小さくすることにより、高い断熱効果を実現することができる。真空断熱材を構成する材料については、従来公知のものを用いることができる。
【００３８】
真空断熱材は、冷蔵庫において、特に高い断熱性が要求される場所に配置することが望ましい。例えば、冷蔵庫１では、冷蔵室扉１１において、表示パネル５０と対向する位置に真空断熱材を配置することが好ましい。これにより、表示パネル５０から発生する熱をより確実に遮断して、冷蔵室扉１１の断熱性能を高めることができる。
【００３９】
カメラ取付部材７０は、ドアバック３１の開放端部側の突出壁３２ｂの外側に取り付けられる（図６参照）。カメラ取付部材７０は、冷蔵室扉１１の本体部分から取り外し可能に構成されている。カメラ取付部材７０は、小型カメラ７１を備えている。小型カメラ７１は、例えば、ＣＣＤカメラなどで構成される。
【００４０】
小型カメラ７１は、冷蔵室内を撮影するためのものである。したがって、小型カメラ７１は、冷蔵室扉１１の背面側（具体的には、カメラ取付部材７０の前面部７０ａ）に設置されている。小型カメラ７１の個数は、１個でもよいし、複数個でもよい。
【００４１】
小型カメラ７１は、カメラ接続用のハーネス８２によって、表示パネル５０と接続されている。これにより、小型カメラ７１で撮影された冷蔵室内の映像を表示パネル５０に映し出すことができる。また、小型カメラ７１が取得した冷蔵室内の情報を、表示パネル５０の制御部（図示せず）および冷蔵庫本体の制御部（図示せず）に送信することができる。冷蔵室扉１１におけるハーネス８２の配線の仕方については、後述する。
【００４２】
冷蔵室扉１１は、開放端部側から開閉される。本実施形態では、冷蔵室扉１１の開放端部は、ガラスパネル５１の側面部材（第１の枠部材）５２で構成される（図３参照）。ガラスパネル５１のより詳細な構成については後述する。側面部材５２の内部には、結露防止用の発熱体が配置されていてもよい。
【００４３】
また、冷蔵室扉１１の右側端部（開放端部の反対側の端部）には、サイドキャップ２３が取り付けられている。サイドキャップ２３の内側には、ヒンジ部２２が設けられている。
【００４４】
また、冷蔵室扉１１の下側端部にはスピーカー９５が設けられている。スピーカー９５は、後述する正面部材４１の底面部４１ｄに凹設される冷蔵室扉１１の把手１１ａに隣接する凹部内に埋設されている。これにより、冷蔵室扉１１の本体部分の前面の略全体を覆うガラスパネル５１に干渉せずに、大口径のスピーカーを備えることができる。また、冷蔵室扉１１の下方には引き出し式の冷蔵室扉１３の把手が凹設されている。そのため、下方に向いて設置されているスピーカー９５から出力された音声は、冷蔵室扉１３の把手で反射され、冷蔵室扉１１の前方に向かう。この構成により、冷蔵室扉１１に設けられたスピーカー９５から、冷蔵庫１の正面のユーザに向けて高音質の音声を提供することができる。
【００４５】
＜正面部材およびドアバックについて＞
続いて、正面部材４１およびドアバック３１のより具体的な構成について説明する。
【００４６】
正面部材４１は、主として、略矩形状の板状部材と、その周囲に設けられている側壁４１ａ、側壁４１ｂ、上面部４１ｃ、および底面部４１ｄとで構成されている。側壁４１ａ、側壁４１ｂ、上面部４１ｃ、および底面部４１ｄは、板状部材に対して略垂直に設けられている。側壁４１ａは、冷蔵室扉１１のヒンジ部２２側に配置されている側壁であり、側壁４１ｂは、冷蔵室扉１１の開放端部側に配置されている側壁である。
【００４７】
図１０には、正面部材４１の裏面側（背面側）を示す。正面部材４１の裏面は、ドアバック３１と対向配置される。具体的には、正面部材４１の周囲に形成されている側壁４１ａ、側壁４１ｂ、上面部４１ｃ、および底面部４１ｄの内部に、ドアバック３１が嵌め込まれる。この嵌め込みの直前に、正面部材４１とドアバック３１との間に、例えば、ウレタンなどの発泡断熱材料が添加され、断熱層２５が形成される。
【００４８】
側壁４１ａの前方側の端部には、抱え込み部（第２の枠部材）４２が設けられている。抱え込み部４２は、側壁４１ａの端部を内側に折り曲げた構造を有しており、ガラスパネル５１の端部を抱え込むような構造に形成されている。
【００４９】
底面部４１ｄの前方側の端部には、抱え込み部（第２の枠部材）４３が設けられている。抱え込み部４３は、底面部４１ｄの端部上に形成された突起状構造を有しており、ガラスパネル５１の端部を抱え込むような構造に形成されている。
【００５０】
側壁４１ｂの後方側の端部には、ハーネス８２が収容されるハーネス収容部８０を形成するための背面部３８が設けられている。側壁４１ｂは、ガラスパネル５１の側面部材（第１の枠部材）５２によって覆われる。また、側壁４１ｂには、ネジ穴３８ａが複数個（本実施形態では、４個）形成されている。
【００５１】
ネジ穴３８ａは、ガラスパネル５１の接合部５５に形成されたネジ穴５５ａと対応する位置に形成されている。各ネジ穴が合致するようにガラスパネル５１を冷蔵室扉１１の本体部分に位置合わせし、各ネジ穴をネジ６５（またはビス）などの固定部材で固定することによって、ガラスパネル５１は冷蔵室扉１１の本体部分に接続固定される。なお、ネジ穴３８ａは、側壁４１ｂのパッキン配置用の溝部２１ａに形成されている（図３参照）。
【００５２】
上面部４１ｃの前方側の端部には、後述するガラスパネル５１の上方突起（第１の枠部材）５３を支持する受け部４４が設けられている。
【００５３】
抱え込み部（第２の枠部材）４２、抱え込み部（第２の枠部材）４３、および受け部４４によって、ガラスパネル５１が冷蔵室扉１１の本体部分に支持される。
【００５４】
また、図９に示すように、正面部材４１の前面側には、表示パネル５０が載置される表示パネル載置用空間５０ａが形成されている。表示パネル載置用空間５０ａは、正面部材４１の前面部５０ｂから凹んだ構造となっている。表示パネル載置用空間５０ａの上端部および下端部には、前方側へ向かって傾斜する傾斜部４５がそれぞれ設けられている。
【００５５】
このような傾斜部４５が設けられていることで、表示パネル載置用空間５０ａと前面部５０ｂとの境界部分で断熱層２５の厚さが異なることに起因して発生する発泡断熱材の空隙の発生を抑えることができる。また、正面部材４１に傾斜部４５が形成されていることで、表示パネル載置用空間５０ａの断熱層（ウレタン発泡断熱材）の収縮量と前面部５０ｂの断熱層の収縮量との差が原因となって起こり得る正面部材４１の亀裂の発生を抑制することができる。
【００５６】
下側の傾斜部４５には、傾斜部４５の上端部に、支持板部４６が形成されている。支持板部４６は、表示パネル載置用空間５０ａの表面から略垂直に立設している。この支持板部４６は、表示パネル５０が配置される領域に設けられていることが好ましい。この場合には、表示パネル５０の下端部を、この支持板部４６によって支持することで、冷蔵室扉１１の本体部分及びガラスパネル５１の位置ずれを抑えることができる。
【００５７】
また、支持板部４６の下方には、支持板部４６を支えるための補強部材４７が設けられていてもよい。補強部材４７は、複数個設けられていることが好ましい。これにより、支持板部４６がより安定して表示パネル５０を支持することができる。
【００５８】
図９に示すように、表示パネル載置用空間５０ａには、表示パネル５０用のハーネス８１と、カメラ接続用のハーネス８２とがそれぞれ配設されている。
【００５９】
表示パネル５０用のハーネス８１は、冷蔵庫１の本体部に設けられている制御部と接続される各種配線を収容している。ハーネス８１は、冷蔵庫１の本体部から冷蔵室扉１１のヒンジ部２２を通って正面部材４１に延びており、正面から見て正面部材４１の右上方から表示パネル載置用空間５０ａに配設されている。
【００６０】
このように、本実施形態にかかる冷蔵庫１では、表示パネル５０用のハーネス８１は、冷蔵室扉１１のヒンジ部２２を通って表示パネル載置用空間５０ａに延びている。表示パネル５０がハーネス８１と接続されることにより、冷蔵庫１の本体部から表示パネル５０に電源が供給されるとともに、表示パネル５０と冷蔵庫１の本体部の制御部との間での情報通信が実現される。
【００６１】
カメラ接続用のハーネス８２は、表示パネル５０と小型カメラ７１とを接続する各種配線を収容している。ハーネス８２は、正面から見て表示パネル載置用空間５０ａの左下方に配設されている。このハーネス８２は、冷蔵室扉１１の開放端部側において断熱層２５内を通過し、側壁４１ｂおよび背面部３８などで形成されているハーネス収容部８０へ延びている（図１１参照）。ハーネス８２は、ハーネス収容部８０から外部へ露出し、カメラ取付部材７０に設置されている小型カメラ７１と接続される（図６参照）。
【００６２】
このように、本実施形態にかかる冷蔵庫１では、小型カメラ７１がハーネス８２によって表示パネル５０と接続される。これにより、表示パネル５０から小型カメラ７１に電源が供給されるとともに、小型カメラ７１によって撮影された画像のデータが表示パネル５０へ送信される。
【００６３】
また、表示パネル載置用空間５０ａの左下方には、タッチセンサ９０を載置するためのタッチセンサ載置部（弾性部材）４８が形成されている。タッチセンサ載置部４８は、表示パネル載置用空間５０ａの表面から鉤状に突出する樹脂素材で形成されている。これにより、タッチセンサ載置部４８を、冷蔵室扉１１の前後方向に弾性を有する構成とすることができる。
【００６４】
図１２に示すように、ドアバック３１は、主として、略矩形状の板状部材と、その周囲に設けられている突出壁３２とで構成されている。上述したように、正面部材４１とドアバック３１との間には、断熱層２５が形成される。突出壁３２の内部にも断熱層２５が形成されている。
【００６５】
側方に設けられている突出壁３２ａと突出壁３２ｂとの間には、複数個の収納ポケット（図示せず）が取り付けられる。後述するように、開放端部側の突出壁３２ｂには、カメラ取付部材７０が取り付けられる。また、突出壁３２ｂの外側には、リブ３５が形成されている。リブ３５は、正面部材４１の側壁４１ｂに設けられている背面部３８と重なるように配置される。
【００６６】
＜ガラスパネルについて＞
続いて、ガラスパネル５１のより具体的な構成について説明する。図４および図５に示すように、ガラスパネル５１は、主として、一枚のガラス板と、ガラス板の一端部に設けられている側面部材（第１の枠部材）５２とで構成されている。
【００６７】
ガラス板は、その中央部に光を透過させる透明部５１ａが設けられている。透明部５１ａの周囲は、光を透過させない非透明部となっている。ガラス板の裏面には、表示パネル５０が取り付けられている（図５参照）。より具体的には、透明部５１ａの裏面に表示パネル５０の表示画面が配置されている。ガラス板のタッチセンサ９０の配置位置には、タッチセンサ９０の位置を明示するためのマーク９０ａがつけられている。
【００６８】
側面部材５２は、冷蔵室扉１１の開放端部側に相当する端部に位置している。側面部材５２は、ガラスパネル５１のガラス板に対して略垂直に設けられている。ガラスパネル５１が冷蔵室扉１１の本体部分に取りつけられた状態では、側面部材５２は、正面部材４１の側壁４１ｂに被さるように配置される。
【００６９】
このように、ガラスパネル５１の側面部材５２が正面部材４１の側壁４１ｂと重なるように配置されていることで、側面部材５２に庫内側の冷気が伝わりにくい構成が実現できる。これにより、ガラスパネル５１の開放端部側において結露の発生を抑えることができる。
【００７０】
側面部材５２の後方側の端部には、ガラスパネル５１を冷蔵室扉１１の本体部分と接続するための接合部５５が複数個（本実施形態では、４個）形成されている。接合部５５には、ネジ穴５５ａがそれぞれ形成されている。
【００７１】
また、ガラスパネル５１のガラス板の裏面には、上方突起（第１の枠部材）５３が形成されている。上方突起５３は、正面部材４１の上面部４１ｃに設けられている受け部４４と対応する位置に形成されている。
【００７２】
＜カメラ取付部材について＞
続いて、カメラ取付部材７０のより具体的な構成について、図６および図７などを参照しながら説明する。
【００７３】
小型カメラ７１が備えられているカメラ取付部材７０は、冷蔵室扉１１から取り外し可能に取り付けられている。これにより、カメラを備えていない従来の冷蔵庫扉の構造を大きく変更することなく、カメラ取付部材７０を後付けすることで、冷蔵室内を撮影できるカメラを容易に冷蔵庫に設置することができる。
【００７４】
カメラ取付部材７０は、例えば、プラスチック製の樹脂で形成された樹脂成形品である。カメラ取付部材７０は、冷蔵室扉１１の開放端部側の突出壁３２ｂの一部（例えば、外側の側面部など）を覆うような構成となっている。
【００７５】
カメラ取付部材７０は、前面部７０ａ、側面部７０ｂ、上面部７０ｃ、および底面部７０ｄを有している。前面部７０ａには、小型カメラ７１のレンズ部分を露出させる穴が形成されている。側面部７０ｂは、ドアバック３１の突出壁３２ｂの外側の側面を覆うように配置される。これにより、冷蔵室扉１１にカメラ取付部材７０が取り付けられた状態では、カメラ取付部材７０は、冷蔵室扉１１の背面側の突出壁の一部を構成する（図３参照）。
【００７６】
カメラ取付部材７０の側面部７０ｂの前方側の端部７０ｅには、ネジ穴７２が複数個（本実施形態では、４個）形成されている。ネジ穴７２は、正面部材４１の側壁４１ｂに形成されたネジ穴３８ａと対応する位置に形成されている。各ネジ穴が合致するようにカメラ取付部材７０を冷蔵室扉１１の本体部分に位置合わせし、各ネジ穴をネジ６５で固定することによって、カメラ取付部材７０は冷蔵室扉１１の本体部分に接続固定される。
【００７７】
なお、カメラ取付部材７０のネジ穴７２は、他のネジ穴３８ａおよび５５ａと同様に、側壁４１ｂのパッキン配置用の溝部２１ａに対応する位置に形成されている。このように、本実施形態では、ガラスパネル５１およびカメラ取付部材７０は、同じネジ６５によって、冷蔵室扉１１の本体部分に接続固定される。
【００７８】
カメラ取付部材７０の内部の空間には、小型カメラ７１が配置されている。図６および図７に示す例では、小型カメラ７１の個数は１個であるが、カメラ取付部材７０には、２個以上の小型カメラ７１が設けられていてもよい。
【００７９】
また、カメラ取付部材７０は、カメラ接続用のハーネス８２を収容するハーネス収容部８０と対応する位置に取り付けられる。カメラ取付部材７０を冷蔵室扉１１に取り付ける際には、ハーネス８２の先端部のコネクタと、小型カメラ７１のコネクタとを予め連結させておく（図６および図７参照）。そして、冷蔵室扉１１の決められた配置位置にカメラ取付部材７０を取りつけることで、小型カメラ７１を冷蔵室扉１１に取り付けることができる。
【００８０】
＜冷蔵室扉へのガラスパネルなどの取り付けについて＞
本実施形態にかかる冷蔵庫１では、ガラスパネル５１は、冷蔵室扉１１に対して取り外し可能に取り付けられている。また、本実施形態にかかる冷蔵庫１では、カメラ取付部材７０も、冷蔵室扉１１に対して取り外し可能に取り付けられている。以下では、冷蔵室扉１１の本体部分にガラスパネル５１およびカメラ取付部材７０を取り付ける方法について説明する。
【００８１】
先ず、正面部材４１とドアバック３１とで構成される冷蔵室扉１１の本体部分の外形が形成される。真空断熱材については、冷蔵室扉１１の外形を形成する前に、正面部材４１およびドアバック３１の少なくとも何れかに取り付けておく。次に、正面部材４１とドアバック３１との間の空間に、発泡断熱材の各種材料を添加する。発泡断熱材の各種材料を添加後、速やかに正面部材４１とドアバック３１とを組み合わせる。これにより、正面部材４１とドアバック３１との間の空間内で各種材料が発泡し、発泡断熱材の断熱層２５が形成される。
【００８２】
続いて、冷蔵室扉１１の本体部分の前面にガラスパネル５１を取り付ける。このとき、図４に示すように、冷蔵室扉１１の開放端部側からガラスパネル５１をスライドさせるように冷蔵室扉１１の正面部材４１上にガラスパネル５１を配置する。そして、ガラスパネル５１の下端部を、正面部材４１の底面部４１ｄに設けられている抱え込み部４３に嵌め込む。また、ガラスパネル５１の右側端部（ヒンジ側の端部）を、正面部材４１の側壁４１ａに設けられている抱え込み部４２に嵌め込む。
【００８３】
ガラスパネルの下端部および右側端部が各抱え込み部４３および４２に嵌め込まれると、正面部材４１の側壁４１ｂは、ガラスパネル５１の左側端部（開放端部）の側面部材５２によってカバーされる。そして、側面部材５２の端部に設けられている接合部５５のネジ穴５５ａは、側壁４１ｂに形成されているネジ穴３８ａと対応するように位置する。また、ガラスパネル５１の裏面上方に設けられている上方突起５３は、正面部材４１の上面部４１ｃに設けられている受け部４４によって支持される。
【００８４】
このように、本実施形態では、ガラスパネル５１の左側端部に設けられている側面部材５２（第１の枠部材）および上方端部近傍に設けられている上方突起５３（第１の枠部材）が、正面部材４１の対応する端部と係合する。ここで、「係合する」とは、正面部材４１の構成部材と、ガラスパネル５１の構成部材（具体的には、第１の枠部材）とが、互いに係り合って（より具体的には、接触し合って、かみ合って、あるいは、嵌合して）、ガラスパネル５１が正面部材４１に支持または接続されることを意味する。
【００８５】
次に、カメラ取付部材７０が、冷蔵室扉１１の本体部分に取り付けられる。このとき、図６または図７に示すように、カメラ取付部材７０の内部に設置された小型カメラ７１をハーネス８２と接続させた状態で、ドアバック３１の突出壁３２ｂの側面を覆うようにカメラ取付部材７０が取り付けられる。また、カメラ取付部材７０の各ネジ穴７２は、接合部５５のネジ穴５５ａおよび側壁４１ｂのネジ穴３８ａと対応するように配置される。
【００８６】
その後、各ネジ穴７２，５５ａ、および３８ａにネジ６５が挿入される。各ネジ穴は、ドアパッキン２１が配置される溝部２１ａに形成されている（図３参照）。最後に、各ネジ穴をカバーするように、ドアパッキン２１が冷蔵室扉１１に取り付けられる。
【００８７】
以上のようにして、冷蔵室扉１１が組み立てられる。
【００８８】
＜タッチセンサの構造について＞
続いて、タッチセンサ９０およびその周辺の構造について、図１３を参照しながら説明する。図１３は、冷蔵室扉１１のタッチセンサ９０周辺（図２に示すＸ−Ｘ線に相当する部分）の内部構造を示す断面図である。
【００８９】
タッチセンサ９０は、主な構成部材として、センサ部９１と、センサ部９１を支持する支持基板９２とを備えている。センサ部９１は、接触センサで形成されており、表面に物体が接触したことを検知する。なお、本実施形態にかかるセンサ部９１は、ガラスパネル５１を間に挟んだ状態でセンサ部９１の表面に物体が接触したことを検知可能なセンサで形成されている。支持基板９２は、センサ部９１を制御する制御回路などを備えている。
【００９０】
タッチセンサ９０は、正面部材４１に形成されているタッチセンサ載置部４８上に載置されている。タッチセンサ載置部４８は、正面部材４１の表面から鉤状に突出する複数の突起で形成されている。タッチセンサ載置部４８の形状は、これに限定はされない。タッチセンサ載置部４８は、例えば、アーチ状または略「Ｌ」字状の断面形状を有する突起で形成されていてもよい。
【００９１】
タッチセンサ載置部４８が上記のような形状を有する突起で形成されていることで、タッチセンサ載置部４８を、冷蔵室扉１１の前後方向に弾性を有する構成とすることができる。タッチセンサ載置部４８が弾性を有することによって、タッチセンサ載置部４８上に載置されるタッチセンサ９０をガラスパネル５１の裏面に押し付けることができる。これにより、タッチセンサ９０のセンサ部９１がガラスパネル５１に接触した状態を維持することができ、センサ部９１の感度の低下を抑えることができる。
【００９２】
なお、タッチセンサ載置部４８は、スポンジ、シリコン材料、またはゴム材料などの弾性を有する材料で形成することもできる。
【００９３】
（まとめ）
以上のように、本実施形態にかかる冷蔵庫１の冷蔵室扉１１には、正面部材４１の前面側に、一枚のガラス板で構成されるガラスパネル５１が、正面部材４１の表面の略全体を覆うように配置されている。そして、ガラスパネル５１の裏面に、表示パネル５０が取り付けられている。
【００９４】
上記の構成によれば、正面部材４１の表面全体をガラスパネル５１で覆うことによって、冷蔵室扉１１の前面を平坦な構成とすることができる。これにより、冷蔵庫の美観を向上させることができる。
【００９５】
また、ガラスパネル５１の裏面に表示パネル５０が取り付けられることで、冷蔵室扉１１の本体部分が熱や振動などによって変形した場合にも、表示パネル５０が変形の影響を受けにくくすることができる。また、ガラスパネル５１の裏面と表示パネル５０とが近接した状態を維持しやすくなるため、例えば、タッチパネル式の表示パネル５０の場合に、ガラスパネル５１から表示パネル５０が離間することを抑えることができる。これにより、表示パネル５０に表示される画像が視認しにくくなることを抑制することができる。また、タッチパネルの感度が低下し、タッチパネルの操作性が低下することを抑制することができる。
【００９６】
また、本実施形態にかかる冷蔵室扉１１では、ネジ６５を取り外すことで、冷蔵室扉１１の本体部分からガラスパネル５１が取り外し可能な構成となっている。したがって、万一、表示パネル５０に動作不良や故障などが発生した場合にも、ガラスパネル５１を取り外すことで、比較的容易に表示パネル５０の修理または交換を行うことができる。
【００９７】
また、本実施形態にかかる冷蔵室扉１１のガラスパネル５１には、その開放端部側に側面部材（第１の枠部材）が設けられている。さらに、ガラスパネル５１には、上方端部に、上方突起５３（第１の枠部材）が設けられている。これらの第１の枠部材は、正面部材４１と係合し、ガラスパネル５１を冷蔵室扉１１の本体部分に対して安定した状態で支持するために役立つ。
【００９８】
また、本実施形態にかかる冷蔵室扉１１の正面部材４１には、ガラスパネル５１のヒンジ部２２側の端部および下方端部を抱え込む抱え込み部４２および４３（第２の枠部材）が設けられている。
【００９９】
以上のように、ガラスパネル５１側に第１の枠部材が設けられており、正面部材４１側に第２の枠部材が設けられていることで、ガラスパネル５１を、冷蔵室扉１１の本体部分に安定した状態で支持することができる。
【０１００】
なお、ガラスパネル５１における第１の枠部材の配置位置、および正面部材４１における第２の枠部材の配置位置は、本実施形態のものに限定はされない。但し、冷蔵室扉１１の強度向上の観点からは、強度維持により重要な冷蔵室扉１１のヒンジ部２２側と下端部側に、正面部材４１の第２の枠部材を設けることが好ましい。また、本実施形態のように、第１の枠部材と第２の枠部材とを互いに対向する位置に配置することが好ましい。これにより、ガラスパネル５１を、冷蔵室扉１１の本体部分により安定した状態で支持することができる。
【０１０１】
また、ガラスパネル５１の側面部材（第１の枠部材）５２は、正面部材４１およびドアバック３１の少なくとも何れかと接続するための接合部５５を有していることが好ましい。例えば、本実施形態にかかる冷蔵室扉１１では、ネジ６５（固定部材）を用いて、ガラスパネル５１の接合部５５を冷蔵室扉１１の本体部分（具体的には、正面部材４１）に接続させている。しかし、溝に嵌まり込むツメなどの形態で接合部を実現することも可能である。
【０１０２】
また、本実施形態にかかる冷蔵室扉１１には、ガラスパネル５１に物体が接触したことを検知するタッチセンサ９０が備えられている。タッチセンサ９０は、弾性を有するタッチセンサ載置部４８上に配置されている。
【０１０３】
この構成によれば、タッチセンサ載置部４８上に載置されるタッチセンサ９０をガラスパネル５１の裏面に押し付けることができる。これにより、タッチセンサ９０のセンサ部９１がガラスパネル５１に接触した状態を維持することができる。そのため、センサ部９１の感度の低下を抑えることができ、タッチセンサ９０の検出精度の低下を抑えることができる。
【０１０４】
〔第２の実施形態〕
続いて、本発明の第２の実施形態について説明する。第２の実施形態では、小型カメラが備えられていない冷蔵庫を例に挙げて説明する。その他の構成については、基本的に第１の実施形態と同様の構成を適用することができる。そこで、以下では、第１の実施形態とは異なる点を中心に説明する。
【０１０５】
図５には、第２の実施形態にかかる冷蔵庫１の冷蔵室扉１１１の構成を示す。図５に示すように、冷蔵室扉１１１は、主として、ドアバック３１、正面部材４１、ガラスパネル５１、表示パネル５０、および断熱層２５などで構成されている。これらの各構成部材は、第１の実施形態と同様の構成が適用できる。
【０１０６】
なお、第１の実施形態にかかる冷蔵室扉１１では、上記の構成に加えて、カメラ取付部材７０がドアバック３１の突出壁３２ｂに取り付けられている。これに対して、第２の実施形態にかかる冷蔵室扉１１１には、カメラ取付部材７０は備えられていない。そのため、冷蔵室扉１１１の開放端部側は、ドアバック３１の突出壁３２ｂの外側側面が露出した状態となっている（図５参照）。
【０１０７】
本実施形態にかかる冷蔵室扉１１１では、ドアバック３１の突出壁３２ｂの内部にも、対向する突出壁３２ａと同様に断熱層２５が形成されている。そのため、カメラ取付部材７０が取り付けられていない状態でも、開放端部側の断熱性能を維持することができる。
【０１０８】
なお、第１の実施形態と同様に、冷蔵室扉１１１の正面部材４１に、カメラ接続用のハーネス８２を内蔵させておいてもよい。この構成によれば、必要に応じて、小型カメラを後付けすることも可能となる。
【０１０９】
〔第３の実施形態〕
続いて、本発明の第３の実施形態について説明する。第３の実施形態では、正面部材の構成が第１の実施形態とは異なる。その他の構成については、基本的に第１の実施形態と同様の構成を適用することができる。そこで、以下では、正面部材の構成を中心に説明する。
【０１１０】
図１４には、第３の実施形態にかかる冷蔵庫１に備えられている冷蔵室扉２１１を示す。図１４では、冷蔵室扉２１１の本体部分（正面部材２４１およびドアバック３１など）とガラスパネル５１とを分解した状態を示す。冷蔵室扉２１１は、主として、ドアバック３１、正面部材２４１、ガラスパネル５１、表示パネル５０、断熱層２５、およびカメラ取付部材７０などで構成されている。ドアバック３１、ガラスパネル５１、表示パネル５０、断熱層２５、およびカメラ取付部材７０は、第１の実施形態と同様の構成が適用できる。
【０１１１】
正面部材２４１は、主として、略矩形状の板状部材と、その周囲に設けられている側壁４１ａ、側壁４１ｂ、上面部４１ｃ、および底面部４１ｄとで構成されている。正面部材２４１の基本的な構成は、第１の実施形態と同様の構成が適用できる。
【０１１２】
本実施形態にかかる正面部材２４１には、第１の実施形態の正面部材４１の各構成に加えて、正面部材２４１の前面側に凸部２４９および凸部２４９ａが設けられている。凸部２４９は、表示パネル載置用空間５０ａの面上に配置されている。凸部２４９ａは、正面部材４１の前面部５０ｂの面上に配置されている。凸部２４９および凸部２４９ａは、ヒンジ部２２側の端部の近傍に、当該端部に沿うように配置されている。
【０１１３】
なお、凸部２４９ａの高さは、凸部２４９の高さよりも低く設定されている。言い換えると、凸部２４９の高さは、ガラスパネル５１が取り付けられたときに、ガラスパネル５１の裏面から表示パネル載置用空間５０ａの表面までの距離と略同程度となるように設計されている。また、凸部２４９ａの高さは、ガラスパネル５１が取り付けられたときに、ガラスパネル５１の裏面から前面部５０ｂの表面までの距離と略同程度となるように設計されている。
【０１１４】
正面部材２４１の前面側に凸部２４９および凸部２４９ａが設けられていることで、ガラスパネル５１が前面側へ押される。第１の実施形態で説明したように、正面部材２４１のヒンジ部２２側の端部には、抱え込み部４２が設けられている。凸部２４９および凸部２４９ａによってガラスパネル５１が前面側へ押されることによって、ガラスパネル５１の端部は抱え込み部４２へ押し付けられる。
【０１１５】
これにより、抱え込み部４２の内部でガラスパネル５１の端部が位置ずれを起こすことを抑制することができる。したがって、正面部材４１に対してガラスパネル５１をより安定した状態で支持することができ、ガラスパネル５１のガタツキなどを低減させることができる。
【０１１６】
〔第４の実施形態〕
続いて、本発明の第４の実施形態について説明する。第１の実施形態では、正面部材と係合する第１の枠部材（具体的には、側面部材５２および上方突起５３）が、ガラスパネルの開放端部側と上端部側に設けられている構成について説明した。しかし、第１の枠部材の形成位置は、これに限定はされない。
【０１１７】
例えば、第４の実施形態として、ガラスパネル５１の開放端部側のみに第１の枠部材を設ける構成を挙げることができる。この場合、正面部材４１側のガラスパネル５１の上端部と対応する位置にも、抱え込み部４２および４３と同様の抱え込み部（第２の枠部材）を設けることが好ましい。
【０１１８】
この構成によれば、矩形状のガラスパネル５１の三方の端部を、抱え込み部によって支持することができる。なお、このような構成の場合、冷蔵室扉１１の本体部分にガラスパネル５１を取り付ける際には、冷蔵室扉１１の開放端部側からガラスパネル５１を左右方向にスライドさせて、正面部材４１の各抱え込み部にガラスパネル５１の各端部を嵌め込めばよい。
【０１１９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１２０】
１        ：冷蔵庫
１１      ：冷蔵室扉（冷蔵庫扉）
２１      ：ドアパッキン（密封部材）
２２      ：ヒンジ部
２５      ：断熱層
３１      ：ドアバック（背面側部材）
３２      ：突出壁（突起部）
４１      ：正面部材（前面側部材）
４２      ：抱え込み部（第２の枠部材）
４３      ：抱え込み部（第２の枠部材）
４８      ：タッチセンサ載置部（弾性部材）
５０      ：表示パネル
５１      ：ガラスパネル（表面パネル）
５２      ：側面部材（第１の枠部材）
５３      ：上方突起（第１の枠部材）
６５      ：ネジ（固定部材）
７０      ：カメラ取付部材（取付部材）
７１      ：小型カメラ（電子部品）
８１      ：（表示パネル接続用）ハーネス
８２      ：（カメラ接続用）ハーネス（電子部品用配線）
９０      ：タッチセンサ（接触検知部）
１１１    ：冷蔵室扉（冷蔵庫扉）
２１１    ：冷蔵室扉（冷蔵庫扉）
２４１    ：正面部材（前面側部材）
２４９    ：凸部
２４９ａ  ：凸部
【図１】
2019150635.tif 000003
【図２】
2019150635.tif 000004
【図３】
2019150635.tif 000005
【図４】
2019150635.tif 000006
【図５】
2019150635.tif 000007
【図６】
2019150635.tif 000008
【図７】
2019150635.tif 000009
【図８】
2019150635.tif 000010
【図９】
2019150635.tif 000011
【図１０】
2019150635.tif 000012
【図１１】
2019150635.tif 000013
【図１２】
2019150635.tif 000014
【図１３】
2019150635.tif 000015
【図１４】
2019150635.tif 000016
【国際調査報告】
2019150635.tif 000017
2019150635.tif 000018
2019150635.tif 000019
2019150635.tif 000020